(57)【要約】【課題】上階側の部屋で発生する生活音が、下階側の部屋へ伝達することを極力防止することができる木造家屋の防音構造の提供。【解決手段】  木造家屋の防音構造は、床合板１３（上階側床材）の下面に複数個、貼着される止め金具２７と、床合板１３の下面に止め金具２７により圧縮状態で固定されるグラスウール２２、２２と、下紙、多孔質繊維層、軟質板を順に積層してなり、床合板１３の上面に貼着される遮音下地マット３２と、遮音下地マット３２の上面に貼着される合板３３と、釘と接着剤とにより合板３３の上面に貼着されるフローリング材３４とを備える。床合板１３の上面側での遮音対策と、下面側での吸音対策とにより、二階の部屋の生活音が一階の部屋へ伝わり難くなり、一階の部屋での静かな居住環境が得られる。【選択図】図２
2018071246.tif 000002
【特許請求の範囲】
【請求項１】
複数の梁、根太、壁と、
前記根太の上に張られる上階側床材と、
該上階側床材から下方へ所定距離離れた位置に設けられる下階側天井材と、
その他の構造部材とを組み付けた木造家屋の防音構造であって、
前記上階側床材の下面に複数個、貼着される止め金具と、
前記下階側天井材との間に隙間を残して、前記根太を除く上階側床材の下面に前記止め金具により圧縮状態で固定される吸音材と、
下紙、多孔質繊維層、軟質板を順に積層してなり、前記上階側床材の上面に貼着される遮音下地マットと、
該遮音下地マットの上面に貼着される合板と、
釘と接着剤とにより前記合板の上面に貼着されるフローリング材とを備えることを特徴とする木造家屋の防音構造。
【請求項２】
前記止め金具は、複数の穴が穿設され、前記上階側床材の下面に接着剤により固定される板状部と、この板状部の略中央から延設する折り曲げ可能な先端錐状の棒状部と、この棒状部が挿通可能な挿通穴を中央に開けた押え板とからなることを特徴とする請求項１に記載の木造家屋の防音構造。
【請求項３】
前記上階側床材の下面に圧縮状態で固定される前記吸音材は、溶融したガラスを繊維化した厚さ数ｃｍ〜十数ｃｍの１枚または２枚のグラスウールを、非圧縮時の厚さの略半分になるまで前記止め金具により圧縮したものであることを特徴とする請求項２に記載の木造家屋の防音構造。
【請求項４】
前記上階側床材と前記遮音下地マットとの貼着、前記遮音下地マットと前記合板との貼着、および前記合板と前記フローリング材との貼着は、一液ウレタン系接着剤を用いることを特徴とする請求項１乃至請求項３の何れかに記載の木造家屋の防音構造。
【発明の詳細な説明】
【技術分野】
【０００１】
本発明は、木造家屋の防音構造に関する。
【背景技術】
【０００２】
特許文献１、２には、上階側床板の下面に吸音材を固定した木造家屋の防音構造が開示されている。
【先行技術文献】
【特許文献】
【０００３】
【特許文献１】実開昭５４−１３６８１５号公報
【特許文献２】特開２００１−０１１９９８号公報
【発明の概要】
【発明が解決しようとする課題】
【０００４】
しかし、上記の技術は、下記に示す課題を有する。
特許文献１、２の技術は、吸音材を、充填室や容器部材内に充填する構造であるので、吸音材と床板との密着度合いが低い。このため、上階側の部屋からの騒音が下階側の部屋へ伝達するのを阻止する、吸音材による吸音効率が低い。
更に、特許文献１、２の技術は、上階側床板の上面側での遮音対策を行っていない。
【０００５】
本発明の目的は、上階側の部屋で発生する生活音が、下階側の部屋へ伝達することを極力防止することができる木造家屋の防音構造の提供にある。
【課題を解決するための手段】
【０００６】
〔請求項１について〕
木造家屋は、複数の梁、根太、壁と、根太の上に貼られる上階側床材と、この上階側床材から下方へ所定距離離れた位置に設けられる下階側天井材と、その他の構造部材とを組み付けてなる。
【０００７】
（上階側床板の上面側での遮音対策）
下紙、多孔質繊維層、軟質板を順に積層してなる遮音下地マットを、上階側床材の上面に貼着している。
これにより、上階側の部屋で発生する騒音が、遮音下地マットの多孔質繊維層により遮音される。なお、軟質板は、多孔質繊維層が型崩れなく、合板をマット上面に貼着するためのものであり、下紙は、多孔質繊維層が型崩れなく、上階側床板上面に遮音下地マットを貼着するためのものである。
【０００８】
遮音下地マットの上面に合板を貼着し、この合板の上面に釘と接着剤とによりフローリング材を貼着している。
これにより、上階側の部屋で生活する居住者は、足元にフローリング材しか見えないので、見栄えが良く、居住性が確保される。また、フローリング材の上面を歩いたりしても、沈み込み等が起きない。
【０００９】
（上階側床板の下面側での吸音対策）
複数個の止め金具が上階側床材の下面に貼着され、これらの止め金具により、吸音材が、下階側天井材との間に隙間を残して、上階側床材の下面（根太部分を除く）に圧縮状態で固定される。
上階側床材の下面に、止め金具により圧縮状態で吸音材を固定しているので、吸音材と床板との密着度合いが高く、吸音材による吸音効率が高い。上階側床板上面側の遮音下地マットで遮音できなかった生活音が、上階側床板下面側の吸音材で吸音されるので、下階側天井材下の空気層への放散が防止でき、下階側の部屋へ伝達され難い。
【００１０】
上階側床板の上面側での遮音対策と、上階側床板の下面側での吸音対策とにより、上階の部屋の生活音が下階の部屋へ伝わり難くなり、下階の部屋での静かな居住環境が得られる。
【００１１】
〔請求項２について〕
止め金具は、複数の穴が穿設され、上階側床材の下面に接着剤により固定される板状部と、この板状部の略中央から延設する折り曲げ可能な先端錐状の棒状部と、この棒状部が挿通可能な挿通穴を中央に開けた押え板とからなる。
【００１２】
板状部の接着面に接着剤を塗布して上階側床材の下面に止め金具を複数、貼着する。なお、板状部に穿設した複数の穴は、接着面に止め金具を接着する際に余分な接着剤を排出するためのものである。
【００１３】
根太間に吸音材を嵌め込んで上階側床材の下面に押し当て、吸音材に止め金具の棒状部を貫通させ、貫通した棒状部に押え板の挿通穴を挿通させた後に折り曲げる。
これにより、下階側天井材との間に隙間を残して、根太を除く上階側床材の下面に、吸音材が密着固定される。
【００１４】
止め金具の棒状部が先端錐状であるので、吸音材を上階側床材の下面に押し当てる際に、止め金具の棒状部が吸音材を貫通するので、容易に吸音材の取付作業を行うことができる。押え板の挿通穴を挿通した止め金具の棒状部を折り曲げる際に、押え板を介して吸音材が押えられるので、押圧性に優れるとともに、吸音材の裂損を防止できる。
【００１５】
止め金具により、下階側天井材との間に隙間を残して、根太を除く上階側床材の下面に、吸音材を、容易に密着固定することができる。また、接着剤により止め金具を上階側床材に貼着する構成であるので、上階側床材が薄い場合でも、止め金具が上階側床材の上面に突き出ることがない。
この止め金具により、上階側床材の下面に、重量がある吸音材を裂損させることなく圧縮状態で容易に固定することができる。このため、吸音材と床板との密着度合いを高くでき、吸音材による吸音効率が高い。
【００１６】
〔請求項３について〕
上階側床材の下面に圧縮状態で固定される吸音材は、溶融したガラスを繊維化した厚さ数ｃｍ〜十数ｃｍの１枚または２枚のグラスウールを、非圧縮時の厚さの略半分になるまで止め金具により圧縮したものである。
、厚さ数ｃｍ〜十数ｃｍの１枚または２枚のグラスウールを、厚さが略半分になるまで圧縮した状態にしているので吸音効果に優れる。２枚のグラスウールを用いた場合は、１枚のグラスウールを用いた場合に比べ、吸音材部分の吸音効果が約１．５倍、向上する。    
【００１７】
〔請求項４について〕
上階側床材と遮音下地マットとの貼着、遮音下地マットと合板との貼着、および合板と前記フローリング材との貼着は、一液ウレタン系接着剤を用いている。
このため、各貼着箇所において、強固な接着性が得られるとともに、接着部分の低温硬化性、耐水性、耐熱性が良好である。
【図面の簡単な説明】
【００１８】
【図１】本発明の実施例１に係る木造家屋の断面図である。
【図２】図１のＢ部拡大詳細図である。
【図３】遮音下地マットの断面図である。
【図４】（ａ）はその木造家屋の防音施工に用いる止め金具の斜視図、（ｂ）は２枚のグラスウールを止め金具で床合板に貼着した断面図である。
【実施例１】
【００１９】
本発明の実施例１（請求項１〜４に対応）を図１〜図４に基づいて説明する。
二階建ての木造家屋Ａは、公知の枠組壁工法で建てられている。
１は鉄筋コンクリート打ちした基礎である。
２は基礎１に敷かれた土台、３は梁（図示せず）と側根太４に組付けられる床根太、５は床根太３の上面に接合した床合板、６は床合板５上面に接合したフローリングである。  ７、８は縦枠に接合した一階、二階の外壁であり、構造用合板（ＤＦＰ）で形成されている。
９、１０は一階、二階の部屋の内壁であり、石膏ボードで形成されている。なお、ドアや窓は、図示していない。
【００２０】
１１は梁（図示せず）と側根太１２に組付けられる床根太、１３は床根太１１の上面に接合した床合板、１４は床合板１３の上面に貼着した複合材である。
なお、一階の外壁７と一階の内壁９との間、二階の外壁８と二階の内壁１０との間、１階の内壁９と一階の内壁９との間、および二階の内壁１０と２階の内壁１０との間には隙間が形成されている。
１５は一階の部屋の天井を構成する、ビニールクロス貼りの天井プラスタボード（下階側床材）であり、１６は天井下地軽量鉄骨である。
【００２１】
本実施例の木造家屋Ａでは、上階側床材である床合板１３から下方へ所定距離離れた位置に、下階側天井材である天井プラスタボード１５が位置している。１７は二階の部屋の天井を構成する、ビニールクロス貼りの天井プラスタボードである。また、１８は木造家屋Ａの屋根である。
【００２２】
図４に示す２７はアルミニウム製の止め金具であり、十二個の穴ｍ（２φ）を穿設した正方形の板状部２８（一辺２５ｍｍ、厚さ０．２ｍｍ）と、この板状部２８の中央から下方へ延設し、折り曲げ可能な棒状部２９（１．５φ×７５ｍｍ）と、棒状部２９が挿通可能な挿通穴３０を中央に開けた押え板３１とからなる。この止め金具２７は、塗装を行う際に、壁等に塗装剤が付着しない様にビニールシートを壁に張り付けるためのアルミニウム製の金具であり、通称、トンボと呼ばれる。
【００２３】
この止め金具２７は、グラスウール２２、２２を取り付けする前に、床根太１１を除く床合板１３の下面に、縦方向６ｃｍ×横方向３０ｃｍの間隔で、一液ウレタン系接着剤２４により複数個、貼着される。なお、縦方向の貼着間隔は、５ｃｍ〜８ｃｍの範囲が好適である。
【００２４】
止め金具２７で貼着される黄色のグラスウール２２、２２（密度３２ｋｇ／ｍ3 、非圧時の厚さが１０ｃｍ×２枚）は、ガラスを溶融して繊維化し、フェノール樹脂で結合したものであり、表面を防湿材で包囲している。なお、他のグラスウール２５、２６もガラスを溶融して繊維化し、フェノール樹脂で結合したものである。非圧縮時の１／２に圧縮されたグラスウール２２は、厚さが５ｃｍ×２枚であり、床根太１１間に嵌められている。なお、グラスウール２２の密度は、２４ｋｇ／ｍ3 〜５０ｋｇ／ｍ3 範囲のものが好適であり、非圧縮時のグラスウール２２の厚さは、５ｃｍ〜１９ｃｍが好適である。
【００２５】
なお、実施例１の二階建ての木造家屋Ａでは、グラスウール２２以外に、一階の外壁７と一階の内壁９との間、二階の外壁８と二階の内壁１０との間、一階の内壁９と一階の内壁９との間、および二階の内壁１０と２階の内壁１０との間の隙間にはグラスウール２５が装入されている。更に、天井プラスタボード１７の上方にはグラスウール２６が設置されている。
【００２６】
複合材１４は、図２に示す様に、床合板１３に貼着される遮音下地マット３２と、遮音下地マット３２の上面に貼着される合板３３と、合板３３の上面に貼着されるフローリング材３４とからなる。
【００２７】
遮音下地マット３２は、図３に示す様に、下紙３５、多孔質繊維層３６、軟質板３７を順に積層してなり、床合板１３（上階側床材）の上面に、一液ウレタン系接着剤３８を用いて下紙３５が貼着される。
多孔質繊維層３６は、鉛を含有する羽毛状の多孔質繊維を層状に絡ませた厚さ数ｃｍの板状盤である。
軟質板３７は、多孔質繊維層３６が型崩れなく、床合板１３を遮音下地マット３２の上面に貼着するための厚さ数ｍｍの軟質樹脂板である。
下紙３５は、多孔質繊維層３６が型崩れなく、床合板１３の上面に遮音下地マット３２を貼着するための和紙である。
【００２８】
合板３３は、薄い複数枚のベニア板を貼り合わせて積層した厚さ数ｍｍのベニア合板であり、遮音下地マット３２の上面に、一液ウレタン系接着剤４１で貼着される。合板３３の役目としては捨板であり、厚みの寸法は、９ｍｍ〜１２ｍｍの範囲が好適である。
【００２９】
フローリング材３４は、化粧板であり、複数本の釘３９と一液ウレタン系接着剤４０とにより合板３３の上面に貼着される。
【００３０】
つぎに、二階建ての木造家屋Ａの防音施工方法（１階−２階部分）について述べる。
（１）一液ウレタン系接着剤２４を板状部２８の接着面に塗布した止め金具２７を、床根太１１を除く床合板１３の下面に、縦方向６ｃｍ×横方向３０ｃｍの間隔で、複数個貼着する。なお、止め金具２７を貼着する際に、余分な一液ウレタン系接着剤２４は穴ｍから下方に排出する。
【００３１】
（２）一液ウレタン系接着剤２４が固化して、止め金具２７が床合板１３の下面に完全に接着すると、グラスウール２２、２２を、床合材１３の下面に押し当てて止め金具２７の棒状部２９を貫通させ、押え板３１を嵌め込む。
そして、押え板３１を上方に押し上げて止め金具２７近傍のグラスウール２２を凹ませ、棒状部２９をグラスウール２２に貫通させる。なお、作業者が怪我をしない様に、止め金具２７がグラスウール２２、２２を貫通する位置に×印を付けておく。また、作業者は、マスクを付け、防護用の手袋を嵌めてこの作業を行う。
【００３２】
（３）つぎに、貫通部位近傍のグラスウール２２、２２を上方に押圧しながらグラスウール２２を貫通した棒状部２９を９０°折り曲げて水平方向にし、略の字状にねじ曲げる。なお、棒状部２９が貫通すると防湿材に穴が空くので、一液ウレタン系接着剤２４等で貫通部分をシールしても良い。
【００３３】
また、グラスウール２２、２２を押し当てる前に、板状部２８の反接着面側へ一液ウレタン系接着剤２４等を塗布しておいても良い。
これにより、床合板１３との間に隙間を残して、床根太１１を除く床合板１３の下面に、グラスウール２２、２２が密着固定される。
【００３４】
（４）下紙３５、多孔質繊維層３６、軟質板３７を順に積層してなる遮音下地マット３２を、一液ウレタン系接着剤３８を用いて、床合板１３（上階側床材）の上面に、下紙３５を接着することにより貼着する。
【００３５】
（５）薄い複数枚のベニア板を貼り合わせて積層した合板３３を、一液ウレタン系接着剤４１を用いて遮音下地マット３２の上面に貼着する。
【００３６】
（６）複数本の釘３９と一液ウレタン系接着剤４０とを用い、合板３３の上面に、化粧板であるフローリング材３４を貼着して固定する。
【００３７】
つぎに、実施例１の利点を述べる。
〔ア〕床合板１３の上面側・下面側での遮音対策による防音効果
床合板１３（上階側床材）の上面側での遮音対策
下紙３５、多孔質繊維層３６、軟質板３７を順に積層してなる遮音下地マット３２を床合板１３の上面に、一液ウレタン系接着剤３８を用いて貼着しているので、上階側の部屋で発生する生活音の伝達が多孔質繊維層３６により抑制され遮音される。なお、軟質板３７により多孔質繊維層３６が型崩れすることなく合板３３を遮音下地マット３２上面に貼着でき、下紙３５により多孔質繊維層３６が型崩れすることな床合板１３に遮音下地マット３２を貼着できる。
【００３８】
遮音下地マット３２の上面に合板３３を貼着し、この合板３３の上面に釘３９と接着剤４０とによりフローリング材３４を貼着しているので、上階側の部屋で生活する居住者は、足元にフローリング材３４しか見えないので、見栄えが良く、居住性が確保される。また、フローリング材３４の上面を歩いたりしても、沈み込み等が起きない。
【００３９】
床合板１３（上階側床材）の下面側での遮音対策
縦方向６ｃｍ×横方向３０ｃｍの間隔で、一液ウレタン系接着剤２４により床合板１３の下面に止め金具２７を複数個、貼着しておき、グラスウール２２、２２を押し当てて、非圧縮時の厚さの１／２に圧縮した状態で、床合板１３の下面に、グラスウール２２、２２を固定する構成である。
グラスウール２２、２２と床合板１３との密着度合いが高く、グラスウール２２、２２による吸音効率が高い。床合板１３の上面側の遮音下地マット３２で遮音できなかった生活音が、床合板１３の下面側のグラスウール２２、２２で吸音される。
【００４０】
つまり、木造家屋Ａは、床合板１３の上面側で遮音対策を行って、二階側の部屋で発生する生活音の伝導を低減し、更に、床合板１３の下面側でも吸音対策を行っている。
このため、床合板１３の上面側の遮音下地マット３２で遮音できなかった生活音が、床合板１３の下面側のグラスウール２２、２２で吸音される。
よって、二階の生活音が一階の部屋へ伝わり難く、一階の部屋において静かな居住環境が得られる。
【００４１】
〔イ〕押え板３１を有する止め金具２７を密集した間隔で貼着することによる効果
縦方向６ｃｍ×横方向３０ｃｍの密集した間隔で、床合板１３の下面に、穴ｍ付きの板状部２８、棒状部２９、および押え板３１からなる止め金具２７を複数個、貼着する構成であるため、密度３２ｋｇ／ｍ3 、非圧縮時の厚さが１０ｃｍの重量がある二枚重ねのグラスウール２２、２２を、長期の年月に渡って脱落することなく、圧縮状態で固定することができる。なお、２０ｃｍ一枚であると、止め金具２７で圧縮させ難い。
【００４２】
〔ウ〕二枚重ねのグラスウール２２、２２を圧縮した状態で固定したことによる効果
非圧時の厚さが１０ｃｍの２枚のグラスウールを、非圧縮時の厚さの略半分になるまで止め金具２７により圧縮した状態で固定している。
このため、吸音効果に優れ、１枚のグラスウールを用いた場合に比べ、吸音材部分の吸音効果が約１．５倍、向上する。
【００４３】
〔エ〕一液ウレタン系接着剤を用いることによる効果
止め金具２７と床合板１３との接着、床合板１３と遮音下地マット３２との接着、遮音下地マット３２と合板３３との接着、および合板３３とフローリング材３４との接着は、一液ウレタン系接着剤２４、３８、４１、４０を用いている。
このため、各貼着箇所において、強固な接着性が得られるとともに、低温硬化性、耐水性、耐熱性が良好である。
【００４４】
本発明は、上記実施例以外に、以下の実施態様を含む。
ａ．木造軸組工法を用いた木造住宅に適用しても良い。
ｂ．三階建ての木造家屋の場合には、二階側床材の上・下面以外に、三階側床材の上・下面にも施工する構成が好ましい。
ｃ．グラスウール２２、２２の厚さは、厚い程、防音効果が高いが、コスト、重量、防音効果から鑑み、５ｃｍ〜１９ｃｍ（非圧縮時の一枚の厚さ）が好適である。
【符号の説明】
【００４５】
Ａ  二階建ての木造家屋（木造家屋）
ｍ  穴
３  床根太
４、１２  側根太（その他の構造部材）
１１  床根太（その他の構造部材）
１３  床合板（上階側床材）
１４  複合材
１５  天井プラスタボード（下階側天井材）
２７  止め金具
２８  板状部
２９  棒状部
２２  グラスウール（吸音材）
２４、３８、４０、４１  一液ウレタン系接着剤
３０  挿通穴
３１  押え板
３２  遮音下地マット
３３  合板
３４  フローリング材
３５  下紙
３６  多孔質繊維層
３７  軟質板
【図１】
2018071246.tif 000003
【図２】
2018071246.tif 000004
【図３】
2018071246.tif 000005
【図４】
2018071246.tif 000006
【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
複数の梁、根太、壁と、
前記根太の上に張られる上階側床材と、
該上階側床材から下方へ所定距離離れた位置に設けられる下階側天井材と、
その他の構造部材とを組み付けた木造家屋の防音構造であって、
前記上階側床材の下面に複数個、貼着される止め金具と、
１枚の厚さが５ｃｍ〜１９ｃｍで、密度が２４ｋｇ／ｍ3 〜５０ｋｇ／ｍ3 の１枚または２枚のグラスウールを非圧縮時の略半分の厚さに圧縮された状態に、前記下階側天井材との間に隙間を残して、前記根太を除く上階側床材の下面に前記止め金具により固定される吸音材と、
型崩れ防止用の下紙、鉛を含有する羽毛状繊維を層状に絡ませてなる多孔質繊維層、および型崩れ防止用の軟質板を順に積層してなり、一液ウレタン系接着剤により前記下紙を前記上階側床材の上面に接着した遮音下地マットと、
該遮音下地マットの上面に前記一液ウレタン系接着剤により貼着されるベニア合板と、  複数本の釘および前記一液ウレタン系接着剤により前記ベニア合板の上面に貼着されるフローリング材とを備える木造家屋の防音構造。                                      
【請求項２】
前記止め金具は、複数の穴が穿設され、前記上階側床材の下面に前記一液ウレタン系接着剤により固定される板状部と、この板状部の略中央から延設する折り曲げ可能な先端錐状の棒状部と、この棒状部が挿通可能な挿通穴を中央に開けた押え板とからなることを特徴とする請求項１に記載の木造家屋の防音構造。
【手続補正２】
【補正対象書類名】明細書
【補正対象項目名】全文
【補正方法】変更
【補正の内容】
【発明の詳細な説明】
【技術分野】
【０００１】
本発明は、木造家屋の防音構造に関する。
【背景技術】
【０００２】
特許文献１、２には、上階側床板の下面に吸音材を固定した木造家屋の防音構造が開示されている。
【先行技術文献】
【特許文献】
【０００３】
【特許文献１】実開昭５４−１３６８１５号公報
【特許文献２】特開２００１−０１１９９８号公報
【発明の概要】
【発明が解決しようとする課題】
【０００４】
しかし、上記の技術は、下記に示す課題を有する。
特許文献１、２の技術は、吸音材を、充填室や容器部材内に充填する構造であるので、吸音材と床板との密着度合いが低い。このため、上階側の部屋からの騒音が下階側の部屋へ伝達するのを阻止する、吸音材による吸音効率が低い。
更に、特許文献１、２の技術は、上階側床板の上面側での遮音対策を行っていない。
【０００５】
本発明の目的は、上階側の部屋で発生する生活音が、下階側の部屋へ伝達することを極力防止することができる木造家屋の防音構造の提供にある。
【課題を解決するための手段】
【０００６】
〔請求項１について〕
木造家屋は、複数の梁、根太、壁と、根太の上に貼られる上階側床材と、この上階側床材から下方へ所定距離離れた位置に設けられる下階側天井材と、その他の構造部材とを組み付けてなる。
【０００７】
（上階側床板の上面側での遮音対策）
型崩れ防止用の下紙、鉛を含有する羽毛状繊維を層状に絡ませてなる多孔質繊維層、および型崩れ防止用の軟質板を順に積層してなる遮音下地マットの下紙を、一液ウレタン系接着剤により上階側床材の上面に接着している。
これにより、上階側の部屋で発生する騒音が、遮音下地マットの鉛を含有する羽毛状繊維を層状に絡ませてなる多孔質繊維層により遮音される。
なお、型崩れ防止用の軟質板は、多孔質繊維層が型崩れなく、合板をマット上面に貼着するためのものであり、下紙は、多孔質繊維層が型崩れなく、上階側床板上面に遮音下地マットを貼着するためのものである。
【０００８】
遮音下地マットの上面にベニア合板を貼着し、このベニア合板の上面に、複数本の釘と一液ウレタン系接着剤とによりフローリング材を貼着している。
これにより、上階側の部屋で生活する居住者は、足元にフローリング材しか見えないので、見栄えが良く、居住性が確保される。また、フローリング材の上面を歩いたりしても、沈み込み等が起きない。
【０００９】
（上階側床板の下面側での吸音対策）
１枚または２枚の圧縮したグラスウールを、下階側天井材との間に隙間を残して、上階側床材の下面に貼着した複数個の止め金具により、根太を除く上階側床材の下面（根太部分を除く）に吸音材を固定している。
１枚の厚さが５ｃｍ〜１９ｃｍで、密度が２４ｋｇ／ｍ3 〜５０ｋｇ／ｍ3 の１枚または２枚のグラスウールを、非圧縮時の厚さの略半分になるまで圧縮された状態にして使っているので吸音効果に優れる。２枚のグラスウールを用いた場合は、１枚のグラスウールを用いた場合に比べ、吸音材部分の吸音効果が約１．５倍、向上する。なお、１枚の厚さが５ｃｍ〜１９ｃｍで、密度が２４ｋｇ／ｍ3 〜５０ｋｇ／ｍ3 の数値限定は、コスト、重量、防音効果から鑑みている。
【００１０】
上階側床材の下面に、止め金具により吸音材を固定しているので、吸音材と床板との密着度合いが高く、吸音材による吸音効率が高い。
上階側床板上面側の遮音下地マットで遮音できなかった生活音が、上階側床板下面側の吸音材で吸音されるので、下階側天井材下の空気層への放散が防止でき、下階側の部屋へ伝達され難い。
上階側床材と遮音下地マットとの貼着、遮音下地マットと合板との貼着、およびベニア合板とフローリング材との貼着は、一液ウレタン系接着剤を用いている。
このため、各貼着箇所において、強固な接着性が得られるとともに、接着部分の低温硬化性、耐水性、耐熱性が良好である。
【００１１】
〔請求項２について〕
止め金具は、複数の穴が穿設され、上階側床材の下面に一液ウレタン系接着剤により固定される板状部と、この板状部の略中央から延設する折り曲げ可能な先端錐状の棒状部と、この棒状部が挿通可能な挿通穴を中央に開けた押え板とからなる。
【００１２】
板状部の接着面に一液ウレタン系接着剤を塗布して上階側床材の下面に止め金具を複数、貼着する。なお、板状部に穿設した複数の穴は、一液ウレタン系接着面に止め金具を接着する際に余分な一液ウレタン系接着剤を排出するためのものである。
【００１３】
根太間に吸音材を嵌め込んで上階側床材の下面に押し当て、吸音材に止め金具の棒状部を貫通させ、貫通した棒状部に押え板の挿通穴を挿通させた後に折り曲げる。
これにより、下階側天井材との間に隙間を残して、根太を除く上階側床材の下面に、吸音材が密着固定される。
【００１４】
止め金具の棒状部が先端錐状であるので、吸音材を上階側床材の下面に押し当てる際に、止め金具の棒状部が吸音材を貫通するので、容易に吸音材の取付作業を行うことができる。押え板の挿通穴を挿通した止め金具の棒状部を折り曲げる際に、押え板を介して吸音材が押えられるので、押圧性に優れるとともに、吸音材の裂損を防止できる。
【００１５】
止め金具により、下階側天井材との間に隙間を残して、根太を除く上階側床材の下面に、吸音材を、容易に密着固定することができる。
【００１６】
また、一液ウレタン系接着剤により止め金具を上階側床材に貼着する構成であるので、上階側床材が薄い場合でも、止め金具が上階側床材の上面に突き出ることがない。
【００１７】
この止め金具により、上階側床材の下面に、重量がある吸音材を裂損させることなく圧縮状態で容易に固定することができる。このため、吸音材と床板との密着度合いを高くでき、吸音材による吸音効率が高い。
【図面の簡単な説明】
【００１８】
【図１】本発明の実施例１に係る木造家屋の断面図である。
【図２】図１のＢ部拡大詳細図である。
【図３】遮音下地マットの断面図である。
【図４】（ａ）はその木造家屋の防音施工に用いる止め金具の斜視図、（ｂ）は２枚のグラスウールを止め金具で床合板に貼着した断面図である。
【実施例１】
【００１９】
本発明の実施例１（請求項１〜４に対応）を図１〜図４に基づいて説明する。
二階建ての木造家屋Ａは、公知の枠組壁工法で建てられている。
１は鉄筋コンクリート打ちした基礎である。
２は基礎１に敷かれた土台、３は梁（図示せず）と側根太４に組付けられる床根太、５は床根太３の上面に接合した床合板、６は床合板５上面に接合したフローリングである。  ７、８は縦枠に接合した一階、二階の外壁であり、構造用合板（ＤＦＰ）で形成されている。
９、１０は一階、二階の部屋の内壁であり、石膏ボードで形成されている。なお、ドアや窓は、図示していない。
【００２０】
１１は梁（図示せず）と側根太１２に組付けられる床根太、１３は床根太１１の上面に接合した床合板、１４は床合板１３の上面に貼着した複合材である。
なお、一階の外壁７と一階の内壁９との間、二階の外壁８と二階の内壁１０との間、１階の内壁９と一階の内壁９との間、および二階の内壁１０と２階の内壁１０との間には隙間が形成されている。
１５は一階の部屋の天井を構成する、ビニールクロス貼りの天井プラスタボード（下階側床材）であり、１６は天井下地軽量鉄骨である。
【００２１】
本実施例の木造家屋Ａでは、上階側床材である床合板１３から下方へ所定距離離れた位置に、下階側天井材である天井プラスタボード１５が位置している。１７は二階の部屋の天井を構成する、ビニールクロス貼りの天井プラスタボードである。また、１８は木造家屋Ａの屋根である。
【００２２】
図４に示す２７はアルミニウム製の止め金具であり、十二個の穴ｍ（２φ）を穿設した正方形の板状部２８（一辺２５ｍｍ、厚さ０．２ｍｍ）と、この板状部２８の中央から下方へ延設し、折り曲げ可能な棒状部２９（１．５φ×７５ｍｍ）と、棒状部２９が挿通可能な挿通穴３０を中央に開けた押え板３１とからなる。この止め金具２７は、塗装を行う際に、壁等に塗装剤が付着しない様にビニールシートを壁に張り付けるためのアルミニウム製の金具であり、通称、トンボと呼ばれる。
【００２３】
この止め金具２７は、グラスウール２２、２２を取り付けする前に、床根太１１を除く床合板１３の下面に、縦方向６ｃｍ×横方向３０ｃｍの間隔で、一液ウレタン系接着剤２４により複数個、貼着される。なお、縦方向の貼着間隔は、５ｃｍ〜８ｃｍの範囲が好適である。
【００２４】
止め金具２７で貼着される黄色のグラスウール２２、２２（密度３２ｋｇ／ｍ3 、非圧時の厚さが１０ｃｍ×２枚）は、ガラスを溶融して繊維化し、フェノール樹脂で結合したものであり、表面を防湿材で包囲している。なお、他のグラスウール２５、２６もガラスを溶融して繊維化し、フェノール樹脂で結合したものである。非圧縮時の１／２に圧縮されたグラスウール２２は、厚さが５ｃｍ×２枚であり、床根太１１間に嵌められている。なお、グラスウール２２の密度は、２４ｋｇ／ｍ3 〜５０ｋｇ／ｍ3 範囲のものが好適であり、非圧縮時のグラスウール２２の厚さは、５ｃｍ〜１９ｃｍが好適である。
【００２５】
なお、実施例１の二階建ての木造家屋Ａでは、グラスウール２２以外に、一階の外壁７と一階の内壁９との間、二階の外壁８と二階の内壁１０との間、一階の内壁９と一階の内壁９との間、および二階の内壁１０と２階の内壁１０との間の隙間にはグラスウール２５が装入されている。更に、天井プラスタボード１７の上方にはグラスウール２６が設置されている。
【００２６】
複合材１４は、図２に示す様に、床合板１３に貼着される遮音下地マット３２と、遮音下地マット３２の上面に貼着される合板３３と、合板３３の上面に貼着されるフローリング材３４とからなる。
【００２７】
遮音下地マット３２は、図３に示す様に、下紙３５、多孔質繊維層３６、軟質板３７を順に積層してなり、床合板１３（上階側床材）の上面に、一液ウレタン系接着剤３８を用いて下紙３５が貼着される。
多孔質繊維層３６は、鉛を含有する羽毛状の多孔質繊維を層状に絡ませた厚さ数ｃｍの板状盤である。
軟質板３７は、多孔質繊維層３６が型崩れなく、床合板１３を遮音下地マット３２の上面に貼着するための厚さ数ｍｍの軟質樹脂板である。
下紙３５は、多孔質繊維層３６が型崩れなく、床合板１３の上面に遮音下地マット３２を貼着するための和紙である。
【００２８】
合板３３は、薄い複数枚のベニア板を貼り合わせて積層した厚さ数ｍｍのベニア合板であり、遮音下地マット３２の上面に、一液ウレタン系接着剤４１で貼着される。合板３３の役目としては捨板であり、厚みの寸法は、９ｍｍ〜１２ｍｍの範囲が好適である。
【００２９】
フローリング材３４は、化粧板であり、複数本の釘３９と一液ウレタン系接着剤４０とにより合板３３の上面に貼着される。
【００３０】
つぎに、二階建ての木造家屋Ａの防音施工方法（１階−２階部分）について述べる。
（１）一液ウレタン系接着剤２４を板状部２８の接着面に塗布した止め金具２７を、床根太１１を除く床合板１３の下面に、縦方向６ｃｍ×横方向３０ｃｍの間隔で、複数個貼着する。なお、止め金具２７を貼着する際に、余分な一液ウレタン系接着剤２４は穴ｍから下方に排出する。
【００３１】
（２）一液ウレタン系接着剤２４が固化して、止め金具２７が床合板１３の下面に完全に接着すると、グラスウール２２、２２を、床合材１３の下面に押し当てて止め金具２７の棒状部２９を貫通させ、押え板３１を嵌め込む。
そして、押え板３１を上方に押し上げて止め金具２７近傍のグラスウール２２を凹ませ、棒状部２９をグラスウール２２に貫通させる。なお、作業者が怪我をしない様に、止め金具２７がグラスウール２２、２２を貫通する位置に×印を付けておく。また、作業者は、マスクを付け、防護用の手袋を嵌めてこの作業を行う。
【００３２】
（３）つぎに、貫通部位近傍のグラスウール２２、２２を上方に押圧しながらグラスウール２２を貫通した棒状部２９を９０°折り曲げて水平方向にし、略の字状にねじ曲げる。なお、棒状部２９が貫通すると防湿材に穴が空くので、一液ウレタン系接着剤２４等で貫通部分をシールしても良い。
【００３３】
また、グラスウール２２、２２を押し当てる前に、板状部２８の反接着面側へ一液ウレタン系接着剤２４等を塗布しておいても良い。
これにより、床合板１３との間に隙間を残して、床根太１１を除く床合板１３の下面に、グラスウール２２、２２が密着固定される。
【００３４】
（４）下紙３５、多孔質繊維層３６、軟質板３７を順に積層してなる遮音下地マット３２を、一液ウレタン系接着剤３８を用いて、床合板１３（上階側床材）の上面に、下紙３５を接着することにより貼着する。
【００３５】
（５）薄い複数枚のベニア板を貼り合わせて積層した合板３３を、一液ウレタン系接着剤４１を用いて遮音下地マット３２の上面に貼着する。
【００３６】
（６）複数本の釘３９と一液ウレタン系接着剤４０とを用い、合板３３の上面に、化粧板であるフローリング材３４を貼着して固定する。
【００３７】
つぎに、実施例１の利点を述べる。
〔ア〕床合板１３の上面側・下面側での遮音対策による防音効果
床合板１３（上階側床材）の上面側での遮音対策
下紙３５、多孔質繊維層３６、軟質板３７を順に積層してなる遮音下地マット３２を床合板１３の上面に、一液ウレタン系接着剤３８を用いて貼着しているので、上階側の部屋で発生する生活音の伝達が多孔質繊維層３６により抑制され遮音される。なお、軟質板３７により多孔質繊維層３６が型崩れすることなく合板３３を遮音下地マット３２上面に貼着でき、下紙３５により多孔質繊維層３６が型崩れすることな床合板１３に遮音下地マット３２を貼着できる。
【００３８】
遮音下地マット３２の上面に合板３３を貼着し、この合板３３の上面に釘３９と接着剤４０とによりフローリング材３４を貼着しているので、上階側の部屋で生活する居住者は、足元にフローリング材３４しか見えないので、見栄えが良く、居住性が確保される。また、フローリング材３４の上面を歩いたりしても、沈み込み等が起きない。
【００３９】
床合板１３（上階側床材）の下面側での遮音対策
縦方向６ｃｍ×横方向３０ｃｍの間隔で、一液ウレタン系接着剤２４により床合板１３の下面に止め金具２７を複数個、貼着しておき、グラスウール２２、２２を押し当てて、全体が非圧縮時の厚さの１／２に圧縮された状態で、床合板１３の下面に、グラスウール２２、２２を固定する構成である。
グラスウール２２、２２と床合板１３との密着度合いが高く、グラスウール２２、２２による吸音効率が高い。床合板１３の上面側の遮音下地マット３２で遮音できなかった生活音が、床合板１３の下面側のグラスウール２２、２２で吸音される。
【００４０】
つまり、木造家屋Ａは、床合板１３の上面側で遮音対策を行って、二階側の部屋で発生する生活音の伝導を低減し、更に、床合板１３の下面側でも吸音対策を行っている。
このため、床合板１３の上面側の遮音下地マット３２で遮音できなかった生活音が、床合板１３の下面側のグラスウール２２、２２で吸音される。
よって、二階の生活音が一階の部屋へ伝わり難く、一階の部屋において静かな居住環境が得られる。
【００４１】
〔イ〕押え板３１を有する止め金具２７を密集した間隔で貼着することによる効果
縦方向６ｃｍ×横方向３０ｃｍの密集した間隔で、床合板１３の下面に、穴ｍ付きの板状部２８、棒状部２９、および押え板３１からなる止め金具２７を複数個、貼着する構成であるため、密度３２ｋｇ／ｍ3 、非圧縮時の厚さが１０ｃｍの重量がある二枚重ねのグラスウール２２、２２を、長期の年月に渡って脱落することなく、圧縮状態で固定することができる。なお、２０ｃｍ一枚であると、止め金具２７で圧縮させ難い。
【００４２】
〔ウ〕二枚重ねのグラスウール２２、２２を圧縮した状態で固定したことによる効果
非圧時の厚さが１０ｃｍの２枚のグラスウールを、全体が非圧縮時の厚さの略半分になる状態に圧縮して、止め金具２７により固定している。
このため、吸音効果に優れ、１枚のグラスウールを用いた場合に比べ、吸音材部分の吸音効果が約１．５倍、向上する。
【００４３】
〔エ〕一液ウレタン系接着剤を用いることによる効果
止め金具２７と床合板１３との接着、床合板１３と遮音下地マット３２との接着、遮音下地マット３２と合板３３との接着、および合板３３とフローリング材３４との接着は、一液ウレタン系接着剤２４、３８、４１、４０を用いている。
このため、各貼着箇所において、強固な接着性が得られるとともに、低温硬化性、耐水性、耐熱性が良好である。
【００４４】
本発明は、上記実施例以外に、以下の実施態様を含む。
ａ．木造軸組工法を用いた木造住宅に適用しても良い。
ｂ．三階建ての木造家屋の場合には、二階側床材の上・下面以外に、三階側床材の上・下面にも施工する構成が好ましい。
ｃ．グラスウール２２、２２の厚さは、厚い程、防音効果が高いが、コスト、重量、防音効果から鑑み、５ｃｍ〜１９ｃｍ（非圧縮時の一枚の厚さ）が好適である。
【符号の説明】
【００４５】
Ａ  二階建ての木造家屋（木造家屋）
ｍ  穴
３  床根太
４、１２  側根太（その他の構造部材）
１１  床根太（その他の構造部材）
１３  床合板（上階側床材）
１４  複合材
１５  天井プラスタボード（下階側天井材）
２７  止め金具
２８  板状部
２９  棒状部
２２  グラスウール（吸音材）
２４、３８、４０、４１  一液ウレタン系接着剤
３０  挿通穴
３１  押え板
３２  遮音下地マット
３３  合板
３４  フローリング材
３５  下紙
３６  多孔質繊維層
３７  軟質板